(57)【特許請求の範囲】
【請求項１】
遊技球を保持するための凹部が外周に設けられた短円筒形状の回転体であって、該凹部に遊技球を保持した状態で定速度回転し、該凹部に保持された遊技球を遊技盤の裏面側へ連通する通孔へ案内することで一定時間間隔で入賞を発生させる入賞用回転体からなる入賞装置を備える遊技機において、
前記入賞用回転体の上部に、遊技球を保持するための複数の凹部が外周に等間隔に設けられた待機用回転体を配置し、
前記待機用回転体の回転速度を前記入賞用回転体の速度よりも高くし、前記待機用回転体の回転速度を、前記複数の凹部の数をＭとし２以上の自然数をｎとしたとき、前記入賞用回転体の回転速度の（Ｍｎ−（Ｍ−１））／Ｍ倍に設定することで、入賞用回転体が一周する毎に、入賞用回転体の凹部と一致する待機用回転体の凹部が順次異なるようにし、前記複数の凹部に収容された遊技球を、前記入賞回転体の１回転毎に当該入賞回転体の凹部へ１球ずつ順次落下させることを特徴とする遊技機。
【請求項２】
前記遊技盤の裏面側へ連通する通孔が大入賞口を開放する第３種種始動口であることを特徴とする請求項１の遊技機。
【発明の詳細な説明】
【０００１】
【発明の属する技術分野】
この発明は、遊技球を保持するための凹部が外周に設けられた短円筒形状の回転体であって、該凹部に遊技球を保持した状態で定速度回転し、該凹部に保持された遊技球を遊技盤の裏面側へ連通する通孔へ案内することで一定時間間隔で入賞を発生させる回転体からなる入賞装置を備える遊技機に関するものである。
【０００２】
【従来の技術】
３種遊技機の大当たり権利発生中では、３種始動装置に遊技球が入賞するとラウンドゲームが開始し、大入賞口が所定時間（例えば、１０秒）開放するようになっている。１０秒の大入賞口の開放中に３種始動口を遊技球が通過すると次のラウンドゲームが開始されるため、係る大入賞口開放中の３種始動口への遊技球通過を防ぐように、図４に示すような回転体が用いられている。該回転体７４には、遊技球Ｔを保持するための球保持用凹部７４ａが設けられ、大入賞口の開放時間に相当する所定時間（１０秒）で１周する。図中に示すように回転体７４上に遊技球Ｔが乗っている状態で球保持用凹部７４ａが上を向いた際に、当該遊技球Ｔが球保持用凹部７４ａ内に落下し、回転体７４の回転に伴い、当該球保持用凹部７４ａが第３種始動口８２に到達した時点で、第３種始動口８２側へ転入させている。この回転体７４を用いることで、所定時間（１０秒）毎に１個ずつ第３種始動口８２へ入賞させる。
【０００３】
【発明が解決しようとする課題】
そのため、遊技球が３種始動装置の回転体７４上に待機してから入賞するまで、遊技球の動きがゆっくりで単調なものになってしまい、非常に退屈なものになっている。
また、遊技球Ｔが回転体７４上に載るタイミングによっては、図４に示すように長い時間回転体上に待機していることになる。そのため、せっかく入賞がほぼ確保されたにも関わらず、球保持用凹部７４ａに入球する前に他の遊技球が衝突して回転体上から落下してしまうことがあり、ラウンド進行が断続的なものになって、円滑にラウンドゲームを消化できない場合がある。
【０００４】
これを解決するため、特開平８−１９６４３に記載の発明のように、上部に複数の球保持部を備えた回転体を設け、この複数の球保持部のうち特定の球保持部以外に受け入れた遊技球を入賞させることなく再度遊技領域に戻す構成が提案されている。
しかし、上記発明のように、一旦遊技球を受け入れたにも関わらず、入賞させることなく再度遊技領域に戻すと、遊技者の心証を害し、遊技意欲を低下させてしまうことになる。
【０００５】
本発明は、上述した課題を解決するためになされたものであり、その目的とするところは、回転体を用いて遊技球の入賞態様を変化に富ませ遊技の興趣を高め得る遊技機を提供することにある。
【０００６】
【課題を解決するための手段】
上述した課題を解決するため請求項１の発明は、遊技球を保持するための凹部が外周に設けられた短円筒形状の回転体であって、該凹部に遊技球を保持した状態で定速度回転し、該凹部に保持された遊技球を遊技盤の裏面側へ連通する通孔へ案内することで一定時間間隔で入賞を発生させる入賞用回転体からなる入賞装置を備える遊技機において、
前記入賞用回転体の上部に、遊技球を保持するための複数の凹部が外周に等間隔に設けられた待機用回転体を配置し、
前記待機用回転体の回転速度を前記入賞用回転体の速度よりも高くし、前記待機用回転体の回転速度を、前記複数の凹部の数をＭとし２以上の自然数をｎとしたとき、前記入賞用回転体の回転速度の（Ｍｎ−（Ｍ−１））／Ｍ倍に設定することで、入賞用回転体が一周する毎に、入賞用回転体の凹部と一致する待機用回転体の凹部が順次異なるようにし、前記複数の凹部に収容された遊技球を、前記入賞回転体の１回転毎に当該入賞回転体の凹部へ１球ずつ順次落下させることを技術的特徴とする。
【０００７】
本発明では、少なくとも１つの球保持用凹部を有する入賞用回転体の上部に、複数（例えば４個）の球保持用の凹部を有する待機用回転体を設け、入賞用回転体が１周する毎に、入賞用回転体の球保持用の凹部と一致する待機用回転体の球保持用凹部を順次異ならせることによって、待機用回転体に保持されている遊技球を入賞用回転体側の球保持用凹部に落下可能にする。これにより、複数（４個）の遊技球を確実に待機させることが可能になり、従来のように他の遊技球が衝突して回転体上から落下してしまうことを極力防止できるとともに、複数回（４回）先までのラウンドゲームを確保することが可能になる。従って、ラウンドゲームを円滑に消化させることができる。また、待機用回転体と入賞用回転体の両方を経由して遊技球が入賞することになるので、遊技球の入賞態様が変化に富んだものとなり、遊技者の興趣を高めることができる。
【０００８】
請求項１では、待機用回転体の回転速度を入賞用回転体の速度よりも高くしたため、従来のように他の遊技球が衝突して待機部から落下してしまうことを極力防止できる。遊技球が待機用回転体上に待機してから入賞するまで、遊技球の動きをスピーディ且つ複雑にでき、回転体を用いて遊技球の入賞態様を変化に富ませることができる。
【０００９】
請求項２では、遊技盤の裏面側へ連通する通孔が大入賞口を開放する第３種種始動口であり、入賞用回転体が定速度で回転するため、連続的に３種始動口に遊技球が入賞し、遊技者に不利益を与えることを防ぎ得る。
【００１０】
【発明の実施の形態】
以下、本発明のパチンコ機の実施形態について図を参照して説明する。
図１は、本発明の一実施例に係るパチンコ機の遊技領域を示している。該遊技盤２０の前面には、発射ハンドル（図略）により操作された遊技球発射装置（図略）から発射された遊技球を遊技盤２０の上方部まで案内するガイドレール４８が配設されており、該ガイドレール４８と遊技盤２０の前面ガラス（図略）とによって作り出される空間内に遊技領域１３が形成される。
【００１１】
この遊技領域１３のほぼ中央位置には、可変表示を行うための可変表示装置３０が配置されている。この可変表示装置３０の中央には普通図柄を表示するための普通図柄表示装置３４が配置されている。該普通図柄表示装置３４は、横方向に３つに区分された表示部を有し、左の領域に左普通図柄表示部３４Ａが、中央に中央普通図柄表示部３４Ｂが、右の領域に右普通図柄表示部３４Ｃがそれぞれ設けられている。該普通図柄表示装置３４の上部には、後述する普通図柄作動ゲート２１を通過した遊技球の数を表示するための４個の発光ダイオードから成るゲート通過記憶数表示装置３７が配置されている。他方、この可変表示装置３０の下方には、普通図柄表示装置３４の図柄変動を開始させる普通図柄作動ゲート２１が配置されている。この普通図柄作動ゲート２１の下方には、普通図柄表示装置３４の当たりにより所定時間開放される普通電動役物４２が配置されている。普通電動役物４２内には、大入賞口開放の権利を発生させる権利発生領域４４が設けられている。一方、可変表示装置３０の右側には、大入賞口５０と大入賞口５０を開放させる第３種始動装置７０とが配置されている。
【００１２】
ここで、第３種始動装置７０の構成について図２を参照して説明する。図２（Ａ）は第３種始動装置７０の斜視図であり、図２（Ｂ）は組み立て図である。
第３種始動装置７０は、遊技球を待機させるための待機用回転体７２と、保持している遊技球を始動口８２へ入賞させるための入賞用回転体７４との２つの回転体を上下に配置して成る。始動口８２を遊技球が通過すると上述したように大入賞口５０が開放される。待機用回転体７２には、遊技球とほぼ同じ大きさの遊技球保持用凹部７４ａが４カ所、外周に等間隔で設けられている。入賞用回転体７４には、遊技球とほぼ同じ大きさの遊技球保持用凹部７４ａが１カ所設けられている。該待機用回転体７２と入賞用回転体７４との前面には、該待機用回転体７２と入賞用回転体７４との外周を覆う瓢箪形状の透明な回転体カバー８４が取り付けられている。該回転体カバー８４の上部には、待機用回転体７２への入球を可能にする開口８４ａが形成されている。
【００１３】
待機用回転体７２と入賞用回転体７４とは、始動口８２が穿設された取付板８０を介して遊技盤２０（図１参照）に取り付けられる。取付板８０の裏面側には、入賞用回転体７４を軸９２を介して回転させるモータ９０が設けられている。軸９２の先端９２ａは、断面を矩形に形成され３６歯のギヤ９４が取り付けられている。このギヤ９４と噛合するように第２ギヤ９６が軸９８により支持され、第２ギヤ９６と噛合するように、待機用回転体７２側のギヤ８６が軸８８に支持されている。軸８８の先端８８ａは、断面を矩形に形成され、該ギヤ８６及び待機用回転体７２を挿通している。ここで、待機用回転体７２側のギヤ８６は、１６歯に形成されており、３６歯の入賞用回転体７４側のギヤ９４が１回転する間に３６／１６回転、即ち、入賞用回転体７４が１回転する間に、待機用回転体７２が２回と１／４回転するように設定されている。
【００１４】
ここで、図１を参照し本パチンコ機による遊技のあらましについて説明する。ここでは先ず、普通電動役物４２による遊技の概略を述べる。
遊技球が普通図柄作動ゲート２１を通過すると、普通図柄表示装置３４の図柄の変動を開始する。即ち、普通図柄表示装置３４は、左普通図柄表示部３４Ａ（以下表示部３４Ａと称する）と中央普通図柄表示部３４Ｂ（以下表示部３４Ｂと称する）と右普通図柄表示部３４Ｃ（以下表示部３４Ｃと称する）とに０〜１４の１５種類の数字の図柄を変動表示し、予め設定された時間が経過すると表示部３４Ａ、表示部３４Ｂ、表示部３４Ｃの順で図柄の変動を停止する。そして、表示部３４Ａ、表示部３４Ｂ、表示部３４Ｃの図柄が同一図柄（当たり図柄）の時は普通電動役物４２を約５．８秒開放し、遊技球の入賞させ易い状態を提供する。なお、普通電動役物４２が開放中に内側に形成された嵌入部４４ａに遊技球が一時保持された場合には、普通電動役物４２の閉口に伴い権利発生領域４４側へ流入し、権利状態が発生して後述するように大入賞口５０を開口させ得るようになる。なお、遊技球が普通図柄作動ゲート２１を通過してもそれが記憶される（併せて前述したゲート通過記憶数表示装置３７に表示される）のは最初の４個まで、それ以上の値は保持されない。この通過が記憶されている状態においては、普通図柄表示装置３４の表示の変動停止後、再び表示の変動が開始される。
【００１５】
上述したように普通電動役物４２が開放中に嵌入部４４ａに遊技球が一時保持され、この状態で普通電動役物４２が閉じ、一時保持された遊技球が権利発生領域４４側に流入すると権利状態が発生する（以下これを特別装置の作動と称する）。このとき、遊技球が第３種始動口８２（図２（Ｂ）参照）に入賞し、即ち、先ず、待機用回転体７２の保持用凹部７２ａに嵌入し、待機用回転体７２の回転に伴い下方の入賞用回転体７４の球保持用凹部７４ａに落下し、入賞用回転体７４の回転に伴い第３種始動口８２を通過する。これにより、大入賞口５０が約９．８秒開放され、遊技球の非常に入賞し易い状態が提供される。該９．８秒の経過又は開放時間内であっても遊技球がおおむね１０個入賞することにより大入賞口５０が閉じる。この大入賞口５０の閉じた後に、再び、第３種始動口８２に入賞することにより大入賞口５０が開放される。なお、この大入賞口５０の開放の回数は１５回までで、以降は権利状態が消滅する。
【００１６】
ここで、待機用回転体７２から入賞用回転体７４への遊技球の移送について、図３を参照して説明する。
なお、待機用回転体７２の回転速度を、該待機用回転体７２の球保持用凹部７２ａの数をＭとし自然数をｎとしたとき、入賞用回転体７４の回転速度の（Ｍｎ−（Ｍ−１）／Ｍ倍に設定することで、待機用回転体７２の球保持用凹部７２ａに収容された遊技球を、入賞用回転体７４の１回転毎に当該入賞用回転体７４の球保持用凹部７４ａへ１球ずつ順次落下させることが可能である。第１実施形態では、Ｍを４、ｎを３と（９／４＝３６／１６）としてある。これにより、入賞用回転体７４が１回転すると、待機用回転体７２が９／４（２回と１／４）回転して、待機用回転体７２の球保持用凹部７２aと入賞用回転体７４の球保持用凹部７４aとが向かい合うようにしてある。
【００１７】
図３（ａ）に示すように待機用回転体７２の４カ所（１番，２番，３番，４番）の球保持用凹部７２aに遊技球が保持された状態での入賞用回転体７４の球保持用凹部７４aへの移送について説明する。図３（a）に示すように、待機用回転体７２の球保持用凹部７２a（１番）と入賞用回転体７４の球保持用凹部７４aとが向かい合った状態、即ち、待機用回転体７２の球保持用凹部７２a（１番）が下を向き、入賞用回転体７４の球保持用凹部７４aが上を向いた状態で、球保持用凹部７２a（１番）に保持されていた遊技球Ｔが入賞用回転体７４の球保持用凹部７４aへ落下する。
【００１８】
図３（ｂ）に示すように、入賞用回転体７４が１／４回転すると、待機用回転体７２は、（１／４）×（３６／１６）＝９／１６回転する。そして、図３（ｃ）に示すように、更に入賞用回転体７４が１／２回転すると、待機用回転体７２は１８／１６回転する。図３（ｄ）に示すように入賞用回転体７４が３／４回転すると、待機用回転体７２は、２７／１６回転する。この直後、入賞用回転体７４の球保持用凹部７４ａが、第３種始動口８２の位置へ到達し、球保持用凹部７４ａに保持された遊技球Ｔを、第３種始動口８２側へ送り込む。これに応じて、大入賞口５０が９．８秒間開放される。
【００１９】
図３（ｅ）に示すように、入賞用回転体７４が１回転すると、待機用回転体７２が３６／１６（２回と１／４）回転して、待機用回転体７２の球保持用凹部７２a（２番）と入賞用回転体７４の球保持用凹部７４aとが向かい合った状態、即ち、待機用回転体７２の球保持用凹部７２a（２番）が下を向き、入賞用回転体７４の球保持用凹部７４aが上を向いた状態で、球保持用凹部７２a（２番）に保持されていた遊技球Ｔが入賞用回転体７４の球保持用凹部７４aへ落下する。なお、この時点で、待機用回転体７２の上に遊技球Ｔが待機しているときには、図３（ｆ）に示すように、更に待機用回転体７２が回転することで球保持用凹部７４ａ（ここでは１番）に保持される。
【００２０】
ここで、図３（ｇ）、図３（ｈ）に示すように入賞用回転体７４が更に回転し、そして、入賞用回転体７４の球保持用凹部７４ａが、第３種始動口８２の位置へ到達し、球保持用凹部７４ａに保持された遊技球Ｔを、第３種始動口８２側へ送り込む。これに応じて、大入賞口５０が９．８秒間開放される。
【００２１】
図３（ｉ）に示すように、入賞用回転体７４が更に１回転（２回転目）すると、待機用回転体７２が３６／１６（２回と１／４）回転して、待機用回転体７２の球保持用凹部７２a（３番）と入賞用回転体７４の球保持用凹部７４aとが向かい合った状態、即ち、待機用回転体７２の球保持用凹部７２a（３番）が下を向き、入賞用回転体７４の球保持用凹部７４aが上を向いた状態で、球保持用凹部７２a（３番）に保持されていた遊技球Ｔが入賞用回転体７４の球保持用凹部７４aへ落下する。図示しないが、入賞用回転体７４が更に１回転（３回転目）すると、待機用回転体７２の球保持用凹部７２ａ（４番）に保持された遊技球が、入賞用回転体７４の球保持用凹部７４aへ落下する。
【００２２】
このように、入賞用回転体７４が１回転する毎に、待機用回転体７２に待機している遊技球が１個ずつ順に入賞用回転体７４側へ移動するようになっている。
【００２３】
本実施形態では、入賞用回転体７４の上部に待機用回転体７２を設け、入賞用回転体７４が１周する毎に、入賞用回転体７４の球保持用凹部７４ａと一致する待機用回転体７２の球保持用凹部７２ａを順次異ならせることによって、球保持用凹部７２ａに保持されている遊技球を入賞用回転体７４側の球保持用凹部７４ａへ落下させる。これにより、複数（４個）の遊技球を確実に待機させることが可能になり、従来のように他の遊技球が衝突して回転体上から落下してしまうことを極力防止できるとともに、複数回（４回）先までのラウンドゲームを確保することが可能になる。従って、ラウンドゲームを円滑に消化させることができる。また、待機用回転体７２と入賞用回転体７４の両方を経由して遊技球が入賞することになるので、遊技球の入賞態様が変化に富んだものとなり、遊技者の興趣を高めることができる。
【００２４】
更に本実施形態では、待機用回転体７２の回転速度を入賞用回転体７４の速度よりも高くしたため、従来のように他の遊技球が衝突して待機部から落下してしまうことを極力防止できる。遊技球が待機用回転体７２上に待機してから入賞するまで、遊技球の動きをスピーディ且つ複雑にでき、回転体を用いて遊技球の入賞態様を変化に富ませることができる。
【００２５】
なお、上述した実施形態では、待機用回転体７２の回転速度を入賞用回転体７４の３６／１６倍としたが、待機用回転体７２の回転速度を、該待機用回転体７２の球保持用凹部７２ａの数をＭとし自然数をｎとしたとき、入賞用回転体７４の回転速度の（Ｍｎ−（Ｍ−１）／Ｍ倍に設定することで、待機用回転体７２の球保持用凹部７２ａに収容された遊技球を、入賞用回転体７４の１回転毎に当該入賞用回転体７４の球保持用凹部７４ａへ１球ずつ順次落下させることが可能である。
【図面の簡単な説明】
【図１】本発明の第１実施形態に係るパチンコ機の遊技領域の正面図である。
【図２】図２（Ａ）は第３種始動装置の斜視図であり、図２（Ｂ）は組み立て図である。
【図３】待機用回転体から入賞用回転体への遊技球の移送を示す説明図である。
【図４】従来技術に係るパチンコ機の回転体を示す斜視図である。
【符号の説明】
２０  遊技盤
２１  普通図柄作動ゲート
３０  可変表示装置
３４  普通図柄表示装置
４２  普通電動役物
４４  権利発生領域
５０  大入賞口
７０  第３種始動装置
７２  待機用回転体
７２ａ  球保持用凹部
７４  入賞用回転体
７４ａ  球保持用凹部
８２  第３種始動口
【図１】
0003938324.tif 000002
【図２】
0003938324.tif 000003
【図３】
0003938324.tif 000004
【図４】
0003938324.tif 000005